(57)【要約】【課題】  従来の空調機の室外熱交換器の冷却は、室内空調後の室内機のドレンを室外熱交換器に導いて冷却に用いていたので、充分な冷却ができない問題点があった。  また、ドレンに替えて水道水を利用する場合は、連続的な冷却により、イニシャルコストが高く、ランニングコストも高くなるなどの問題があった。【解決手段】  この発明の空調機の室外熱交換器水冷却装置は、空調機の室外機に搭載されたの室外熱交換器と、この熱交換器上部に配置された水を送水供給する冷却水配管の主体管と、前記送水供給する冷却水配管途中に送水供給を調整する電磁弁を設けると共に、この電磁弁を調整する室外外気温を検知する外気温センサー部と時間で調整するタイマー部とを備えている制御部を設けた構成とした。【選択図】        図１
2006322685.tif 000002
【特許請求の範囲】
【請求項１】
空調機の室外機に搭載された室外熱交換器と、この熱交換器上部に配置された水を送水供給する冷却水配管の主体管と、前記送水供給する冷却水配管途中に送水供給弁を開閉する電磁弁を設けると共に、この電磁弁を開閉する室外外気温を検知する外気温センサー部と時間で調整するタイマー部とを備えている制御部を設けたことを特徴とする空調機の室外熱交換器水冷却装置。
【請求項２】
空調機の室外機に搭載されたの室外熱交換器と、この室外熱交換器を複数台配置すると共に、前記室外熱交換器に対応して冷却水配管の主体管と、冷却水配管途中に送水供給弁を開閉する電磁弁とをそれぞれ複数設け、かつ前記各電磁弁を開閉制御する中央制御部を設けたことを特徴とする空調機の室外熱交換器水冷却装置。
【発明の詳細な説明】
【技術分野】
【０００１】
この発明は、空調室外機の熱交換器の水冷却装置に関するものである。
【背景技術】
【０００２】
一般的にヒートポンプ式空調機は冷房時に室外機の熱交換器を冷却することにより、消費電力を低減させることができるが、従来の空調室外機熱交換器の水冷装置は、室内機で生じたドレン水を室外機の熱交換器上方から滴下させ熱交換器を冷却していた。（例えば、特許文献１参照）
【０００３】
また、散水管をプラスチックで形成されて筒体で両端を閉塞状態とし、室内機のドレン管と接続させドレン水を滴下させる複数の小孔を備えたものを使用している。（例えば、特許文献２参照）
【０００４】
また、近年では、噴霧ノズルから室外機の熱交換器に水を噴霧し冷却するものが主流であった。
【特許文献１】特開２０００−７４４１１号公報  （２頁、３頁、図１）
【特許文献２】特開２００４−１１９９２合公報  （５頁〜６頁、図１〜図４）
【発明の開示】
【発明が解決しようとする課題】
【０００５】
上記のような熱交換器の水冷装置は、冷却には水自身の温度だけでなく、水が蒸発する際の気化熱も利用噴霧され、ノズルを必要とするためイニシャルコストが高くなり、また熱交換器の特定部分しか冷却されず、熱交換器全体の冷却が不十分で、水量も多く必要でランニングコストが高くなってしまい、また熱交換器の特定部分しか冷却されないため、噴霧する水量に対して冷却効果が高くない等の問題点があった。
【０００６】
また、ドレン水を利用する場合には、室外熱交換器を十分冷却することがドレン水の不足等により不可能になる可能性が生ずる等の問題点が生ずる。
【０００７】
この発明では空気調和機の室内機のドレンを冷水に使用するのではなく、水道水又は井戸水等を利用し噴霧ノズル等の特殊な部品を要しない装置により投資額を抑えるとともに、水量を抑え、また熱交換器全体を冷却する装置の実現を目的とするものである。
【課題を解決するための手段】
【０００８】
この発明の空調機の室外熱交換器水冷却装置は、空調機の室外機に搭載されたの室外熱交換器と、この熱交換器上部に配置された水を送水供給する冷却水配管の主体管と、前記送水供給するする電磁弁を設けると共に、この電磁弁を開閉する室外外気温を検知する外気温センサー部と時間で開閉させるタイマー部とを備えている制御部を設けたものである。
【発明の効果】
【０００９】
この発明の空調機の室外熱交換器水冷却装置は、空調機の室外機に搭載されたの室外熱交換器と、この熱交換器上部に配置された水を送水供給する冷却水配管の主体管と、前記送水供給する冷却水配管途中に送水供給を開閉する電磁弁を設けると共に、この電磁弁を開閉する室外外気温を検知する外気温センサー部と時間で開閉するタイマー部とを備えている制御部を設けた構成としたので、熱交換器全体を冷却するため、従来の装置より冷却効果を向上させることができると共に、従来の水を噴霧する装置に比べ、７０％程度水量を低減させることができ、ランニングコストを低減させることができる。
【発明を実施するための最良の形態】
【００１０】
実施の形態１．
以下、図１及び図２に示すこの発明の実施の形態１について説明する。図において、空調機の室外機１の室外熱交換器２には、この熱交換器２上部に水道水又は井戸水等を送水供給する例えば銅管で形成された冷却水配管３の主体管４を配置させている。この主体管４は、先端部を閉塞し、かつ送水された冷却水４ａを前記室外熱交換器２上の横全幅に摘下するように配列された注水孔５を複数孔設している。そして、前記送水供給する冷却水配管３には、送水供給弁を開閉する電磁弁６を設け前記主体管４への送水供給を行っている。この電磁弁６の開閉は、電磁弁と接続され、室外外気温を検知する外気温センサー部７と時間で開閉するタイマー部８とを備えている制御部９により実行されている。
【００１１】
次に、このように構成された動作について説明する。まず、室外熱交換器２へ滴下される水道水又は井戸水等の送水供給水は、冷却水配管３及び電磁弁６を通り、主体管４に供給される。主体管４への供給時、電磁弁６は、予め調整された空調機の運転時冷却が必要なときのみタイマー部８により開するか、又は外気温度が所定温度以上になったことを外気温センサー部７で検知して、その検知温度で制御部９内で演算され開いとなる。
【００１２】
前記電磁弁６の開閉動作を制御する制御部６は、又前記予め調整された空調機の運転時冷却が必要なときのみ電磁弁６を動作させるタイマー部８のセット時間を、外気温度が所定温度以上になったことを外気温センサー部７で検知して、その検知温度で制御部９内で演算され、なおかつ開閉時間を制御して電磁弁６を閉にすることにより送水量を調整することが可能となる。
【００１３】
また、主体管４から室外熱交換器２に滴下された冷却水は、水の重力で室外熱交換器２を上から下側に流れ落ち、それにより熱交換器が冷却される。
【００１４】
滴下した水は室外熱交換器２上部から横幅全体に下側へ流れ落ちるため、熱交換器２全体に水がいきわたり、熱交換器全体が冷却される。熱交換器全体が冷却されるため、従来の装置に比べ冷却効果が著しく向上する。
【００１５】
また、図３に示すこの発明の実施の形態１の他の実施形態では、室外熱交換器２を複数配置して水道水または主送水供給管１０からそれぞれ第１の室外熱交換器２ａ、第２の室外熱交換器２ｂ、第３の室外熱交換器２ｃ上方に冷却水配管３の主体管４を配置して第１の室外熱交換器２ａ、第２の室外熱交換器２ｂ、第３の室外熱交換器２ｃの異なる運転使用時間に相応してそれぞれの第１の電磁弁３ａ、第２の電磁弁３ｂ、第３の電磁弁３ｃを中央制御部１１で開閉制御するようにする。
【００１６】
この発明の実施の形態１の他の実施形態では、１の室外熱交換器２ａ、第２の室外熱交換器２ｂ、第３の室外熱交換器２ｃそれぞれの運転使用時間を中央制御部１１に入力して、運転使用時間に相応させて第１の電磁弁３ａ、第２の電磁弁３ｂ、第３の電磁弁３ｃを開閉制御するものである。
【００１７】
従来の水を噴霧する装置に対し、この発明の装置では熱交換器の上部から直接水を滴下する、そのため従来の装置より水量が低減できる。
【００１８】
また、温度センサー・タイマーなどで水の滴下を制御することにより水量をさらに低減する
ことができる。
【００１９】
特に、複数台の室外熱交換器を異なる時間帯で運転使用する場合には、さらに水量の低減を図ることができる効果を奏する。
【図面の簡単な説明】
【００２０】
【図１】この発明の実施の形態１による空調機の室外熱交換器水冷装置を示す概略斜視図である
【図２】この発明の実施の形態１による空調機の室外熱交換器水冷装置の要部拡大図である。
【図３】この発明の実施の形態１による他の空調機の室外熱交換器水冷装置を示す概略斜視図である。
【符号の説明】
【００２１】
１  空調機室外機、２  室外熱交換器、２ａ  第１の室外熱交換器、２ｂ  第２の室外熱交換器、２ｃ  第３の室外熱交換器、３  冷却水配管、４  主体管、４ａ  滴下水、４ｂ  第１の主体管、４ｃ  第２の主体管、４ｄ  第３の主体管、５  注水孔、６  電磁弁、６ａ  第１の電磁弁、６ｂ  第２の電磁弁、６ｃ  第３の電磁弁、７  外気温センサー部、８  タイマー部、９  制御部、１０  主送水供給管、１１  中央制御部。
【図１】
2006322685.tif 000003
【図２】
2006322685.tif 000004
【図３】
2006322685.tif 000005